(57)【要約】【課題】  排水ホースを梱包箱から取り出す際に、付属品の紛失を防止ようにした梱包品を提供する。【解決手段】  この梱包品１における排水ホース３は、梱包箱２の開閉蓋２ｂを開けた際に一部が露出するように梱包箱２内に配置されているので、排水ホース３のみを梱包箱２から容易に抜き取ることができる。従って、配管工事に必要な排水ホース３を梱包箱２から取り出す際に、機器本体Ａと一緒に付属品が梱包箱から外に出てしまうような事態を回避することができる。さらに、機器本体Ａに付属品箱４が固定されているので、排水ホース３を梱包箱２から取り出した際でも、機器本体Ａが梱包箱２から取り出されない限り、機器本体Ａと一緒に付属品箱４は梱包箱２内に残ることになる。【選択図】  図２
2005313974.tif 000002
【特許請求の範囲】
【請求項１】
梱包箱内に機器本体及び排水ホースを収容してなる梱包品において、
前記機器本体の外側面に固定された付属品箱と、
前記機器本体の前記外側面と前記梱包箱の内壁面との間において、前記付属品箱の周囲に設けられた隙間内に収容されると共に、前記梱包箱の開閉蓋を開けた際に一部が露出するように前記梱包箱内に配置された前記排水ホースとを備えたことを特徴とする梱包品。
【請求項２】
前記梱包箱の上面に前記開閉蓋が設けられ、前記隙間には、前記梱包箱の高さ方向に延在するホース収容空間が形成され、このホース収容空間内には、前記開閉蓋が開けられた状態で前記梱包箱から上下に抜き差し可能な前記排水ホースが、立てられた状態で収納されていることを特徴とする請求項１記載の梱包品。
【発明の詳細な説明】
【技術分野】
【０００１】
本発明は、特に、排水ホースが現場で外付けされるタイプの食器洗浄機、給茶機などの機器の梱包品に関するものである。
【背景技術】
【０００２】
従来において、業者により現場で施工が実施されるタイプの食器洗浄機や給茶機などの機器は、発泡スチロールで保護された状態で梱包箱内に収容されている。さらに、比較的大型の付属品である防水パン、排水ホースなどは、梱包箱の底部にまとめて収納され、袋詰めされたネジなどの小さな付属品は、機器本体の背面にテープで貼り付けられている。このような状態で梱包された製品は、運搬業者により所定の家屋まで搬送される。そして、製品到着後、「水道業者」により据え付け予定場所で配管工事が行われる。このとき、配管工事に必要な排水ホースは、梱包箱の底部に収納されているので、機器本体を梱包箱から一旦外に出した後に取り出される。また、水道業者による配管工事完了後、「据え付け担当者」が機器本体を所定の場所にセッティングする。その後、「水道業者」により、機器本体に設けられた排水管と排水ホースとの接続工事が行われる。
【０００３】
【特許文献１】特開平９−５８７５２号公報
【発明の開示】
【発明が解決しようとする課題】
【０００４】
しかしながら、「水道業者」により排水ホースを梱包箱から取り出す際、排水ホースは梱包箱の底部に収納されているので、機器本体を梱包箱から一旦外に出さなければならず、このとき、機器本体と一緒に付属品が梱包箱から外に出てしまうことがある。このように梱包箱から機器本体が一旦外に出されると、ネジなどの付属品が紛失したり、梱包箱と一緒に付属品がゴミとして廃棄されることがあり、「据え付け担当者」が機器本体を現場でセッティングすることができないといった不測の事態が発生する。
【０００５】
本発明は、排水ホースを梱包箱から取り出す際に、付属品の紛失を防止するようにした梱包品を提供することを目的とする。
【課題を解決するための手段】
【０００６】
本発明に係る梱包品は、梱包箱内に機器本体及び排水ホースを収容してなる梱包品において、機器本体の外側面に固定された付属品箱と、機器本体の外側面と梱包箱の内壁面との間において、付属品箱の周囲に設けられた隙間内に収容されると共に、梱包箱の開閉蓋を開けた際に一部が露出するように梱包箱内に配置された排水ホースとを備えたことを特徴とする。
【０００７】
この梱包品における排水ホースは、梱包箱の開閉蓋を開けた際に一部が露出するように梱包箱内に配置されているので、排水ホースのみを梱包箱から容易に抜き取ることができる。従って、配管工事に必要な排水ホースを梱包箱から取り出す際に、機器本体と一緒に付属品が梱包箱から外に出てしまうような事態を回避することができる。また、排水ホースは、梱包箱内において付属品箱の周囲に設けられた隙間内に収容されるので、梱包箱内でスペースの有効活用を図ることができる。さらに、機器本体に付属品箱が固定されているので、排水ホースを梱包箱から取り出した際でも、機器本体が梱包箱から取り出されない限り、機器本体と一緒に付属品箱は梱包箱内に残ることになる。従って、「水道業者」と「据え付け担当者」とが異なる時期に作業を行う場合でも、付属品が紛失したり、梱包箱と一緒に付属品がゴミとして廃棄されるような不測の事態が起こらない。
【０００８】
また、梱包箱の上面に開閉蓋が設けられ、隙間には、梱包箱の高さ方向に延在するホース収容空間が形成され、このホース収容空間内には、開閉蓋が開けられた状態で梱包箱から上下に抜き差し可能な排水ホースが、立てられた状態で収納されていると好適である。このように構成すると、縦長の排水ホースを特別な固定具を用いることなしに、梱包箱内で位置決めさせながら確実に収納することができる。さらに、排水ホースを上方に引き上げるような取り出し作業は、縦長の排水ホースを梱包箱から取り出す際の作業を容易にし、排水ホースを下方へ押し下げるような梱包作業は、縦長の排水ホースを梱包箱内に収納する際の作業を容易にする。
【発明の効果】
【０００９】
本発明によれば、排水ホースを梱包箱から取り出す際に、付属品の紛失を防止することができる。
【発明を実施するための最良の形態】
【００１０】
以下、図面を参照しつつ本発明に係る梱包品の好適な実施形態について詳細に説明する。
【００１１】
図１に示すように、梱包品１は、段ボールからなる梱包箱２内に機器本体（例えば、食器洗浄機、給茶機など）Ａ、排水ホース３、付属品箱４が収容されたものである。この機器本体Ａは、排水ホース３が現場で外付けされるタイプものであり、その代表としては、食器洗浄機、給茶機などがあり、図として、食器洗浄機が示されている。
【００１２】
図２に示すように、梱包箱２の上面には４枚の開閉蓋２ｂが設けられ、機器本体Ａは、発泡スチロールからなる緩衝材６によってその両サイドが挟まれるようにして梱包箱２内に収納されている。更に、機器本体Ａの四つの外側面（前面、両サイド面、背面）のうちの背面７には、付属品箱４が両面テープ又はガムテープによって固定されている。さらに、この付属品箱４は、緩衝材６,６の間に位置するように梱包箱２内に収容されている。そして、この付属品箱４内には、図４に示すような比較的大型の付属品である防水パン９や蹴込みカバー１０、袋詰めされたネジ１１などの小さな付属品、組立て説明書１２などが格納されている。
【００１３】
さらに、機器本体Ａの背面７と梱包箱２の内壁面２ａとの間において、付属品箱４の周囲には隙間Ｓが設けられ、この隙間Ｓには、梱包箱２の高さ方向に延在するホース収容空間ＳＡが形成されている。図３に示すように、このホース収容空間ＳＡは、機器本体Ａの背面７と梱包箱２の内壁面２ａと緩衝材６の内側壁面６ａと付属品箱４の側壁面４ａで作り出された縦長の空間であり、立てられた状態で、排水ホース３はホース収容空間ＳＡ内に差し込まれている。従って、排水ホース３の収容は、梱包箱２内でスペースの有効活用が図られることになる。
【００１４】
また、排水ホース３は、梱包箱２の四枚の開閉蓋２ｂを開けた際に上部が露出するように梱包箱２内に配置されている。従って、排水ホース３のみを梱包箱２から容易に抜き取ることができ、配管工事に必要な排水ホース３を梱包箱２から取り出す際に、機器本体Ａと一緒に付属品が梱包箱２から外に出てしまうような不測の事態を回避することができる。
【００１５】
さらに、ホース収容空間ＳＡ内の排水ホース３は、開閉蓋２ｂが開けられたときに梱包箱２から上下方向に抜き差し可能なように立てられた状態で収納されている。従って、縦長の排水ホース３を特別な固定具を用いることなしに、梱包箱２内で位置決めさせながら確実に収納することができる。そして、排水ホース３を上方に引き上げるような取り出し作業は、縦長の排水ホース３を梱包箱２から取り出す際の作業を容易にし、排水ホース３を下方へ押し下げるような梱包作業は、縦長の排水ホース３を梱包箱２内に収納する際の作業を容易にする。なお、前述した排水ホース３は、細長いホース本体３ａとホース本体３ａの端部にホースバンド３ｃを介して接続されたＬ型接続管３ｂとからなっている（図２参照）。
【００１６】
また、機器本体Ａに付属品箱４が固定されているので、排水ホース３を梱包箱２から取り出した際でも、機器本体Ａが梱包箱２から取り出されない限り、機器本体Ａと一緒に付属品箱４は梱包箱２内に残ることになる。従って、「水道業者」と「据え付け担当者」とが異なる時期に作業を行う場合でも、付属品が紛失したり、梱包箱２と一緒に付属品がゴミとして廃棄されるような不測の事態が起こらない。
【００１７】
次に、食器洗浄機を例にして、図４を参照しながら製品の据え付け手順について簡単に説明する。
【００１８】
先ず、梱包品１は、図１の状態で運搬業者により所定の家屋まで搬送される。製品到着後、「据え付け担当者」が梱包箱２の開閉蓋２ｂを開いて「水道業者」に排水ホース３を渡すか、「水道業者」自らが梱包箱２の開閉蓋２ｂを開いて、配管工事に必要な排水ホース３を梱包箱２から取り出す（図２参照）。そして、「水道業者」は、システムキッチン２０の所定場所に給湯配管２１や排水ホース３の取付け工事を行う。このとき、配管工事に必要な排水ホース３のみが梱包箱２から取り出されるので、機器本体Ａと一緒に付属品箱４が梱包箱２から外に出されてしまうような不測の事態が回避されている。
【００１９】
配管工事完了後、「据え付け担当者」が梱包箱２から機器本体Ａを取り出すが、このとき、機器本体Ａに対して付属品箱４は固定されているので、機器本体Ａと一緒に付属品箱４が梱包箱２から取り出されることになる。その後、機器本体Ａから付属品箱４を切り離し、付属品箱４内に入っている防水パン９、蹴込みカバー１０、ネジ１１、組立て説明書１２などを外に出す。そして、組立て説明書１２に沿って、防水パン９をネジ１１によりシステムキッチン２０の所定床面に固定し、機器本体Ａを防水パン９上にセッティングした後、蹴込みカバー１０をネジ２２によって機器本体Ａに固定させる。
【００２０】
その後、「水道業者」により、機器本体Ａ側の排水管と排水ホース３とを接続し、機器本体Ａ側の給水管と給湯配管２１とを接続する。このような給排水工事完了後に電源接続が行われ、試運転を行うことによって、水漏れのチェックが行われる。
【００２１】
本発明は、前述した実施形態に限定されるものではない。例えば、前述した排水ホース３は、塩ビのような硬質な配管であっても、ゴム材からなる可撓性の配管であってもよい。また、排水ホース３は、梱包箱２の開閉蓋２ｂを開けた際に露出するように梱包箱２内の隙間Ｓに配置されていれば、どのような状態で収容されていてもよい。例えば、付属品箱４の上面に横置にしてもよい。また、可撓性の排水ホース３を採用する場合、排水ホース３を、付属品箱４の周囲に沿わせるようにＬ字状に曲げて隙間Ｓ内に収納してもよい。
【図面の簡単な説明】
【００２２】
【図１】本発明に係る梱包品の一実施形態を示す斜視図である。
【図２】梱包箱の開閉蓋を開けた状態を示す斜視図である。
【図３】梱包箱内での排水ホースの収納状態を示す要部拡大図である。
【図４】食器洗浄機の施工例を示す斜視図である。
【符号の説明】
【００２３】
１…梱包品、２…梱包箱、２ａ…梱包箱の内壁面、２ｂ…開閉蓋、３…排水ホース、４…付属品箱、７…機器本体の背面（外側面）、Ｓ…隙間、ＳＡ…ホース収容空間、Ａ…機器本体。
【図１】
2005313974.tif 000003
【図２】
2005313974.tif 000004
【図３】
2005313974.tif 000005
【図４】
2005313974.tif 000006